【手続補正書】
【提出日】平成17年1月17日(2005.1.17)
【手続補正１】
【補正対象書類名】明細書
【補正対象項目名】特許請求の範囲
【補正方法】変更
【補正の内容】
【特許請求の範囲】
【請求項１】  セルラー式通信システムにおいて標準のモバイル通信の無線送信機の場所を突き止める装置であって、
前記モバイル無線送信機から信号を受信するアンテナおよび関連の信号調整手段、および前記受信信号の識別された代表的な瞬間に時間タグを付けて時間タグ付きの受信信号データを生成するタイミング機構をそれぞれ有する少なくとも第１および第２のセンサ局と、
複製された信号データをそれぞれ提供する、それぞれ前記第１および第２のセンサ局にある少なくとも第１および第２の信号複製ユニットと、
前記時間タグ付きの受信信号データおよび前記複製された信号データで一致した複製の相関処理を実行して位置関連の信号パラメータをそれぞれ生成する、それぞれ前記第１および第２のセンサ局にある少なくとも第１および第２の信号相関／測定値抽出処理ユニット（signal correlation and measurement extraction processing unit）と、
前記位置関連の信号パラメータを前記第１および第２のセンサ局から中央サイトに伝える通信システムと、
前記第１および第２のセンサ局のみで生成された前記位置関連の信号パラメータから前記モバイル送信機の位置を推定する手段と、
前記モバイル送信機の前記推定された位置を示す出力とを含み、
少なくとも前記第１のセンサ局にある前記信号複製ユニットは、前記時間タグ付きの受信信号データを縮小する縮小機構を含み、
前記通信システムは、少なくとも前記第１のセンサ局と前記第２のセンサ局との間での前記縮小された時間タグ付きの受信信号データの通信を行い、
少なくとも前記第２のセンサ局にある前記信号複製ユニットは、前記縮小された時間タグ付きの受信信号データを再構築し、前記再構築された時間タグ付きの受信データを前記複製された信号データとして使用する再構築機構を含むことを特徴とする装置。
【請求項２】  前記位置関連の信号パラメータは到着時刻情報を含むことを特徴とする請求項１に記載のセルラー式通信システムにおいて標準のモバイル通信の無線送信機の場所を突き止める装置。
【請求項３】  前記位置関連の信号パラメータは到着時刻差パラメータを含むことを特徴とする請求項１に記載のセルラー式通信システムにおいて標準のモバイル通信の無線送信機の場所を突き止める装置。
【請求項４】  前記位置関連の信号パラメータは到来角情報を含むことを特徴とする請求項１に記載のセルラー式通信システムにおいて標準のモバイル通信の無線送信機の場所を突き止める装置。
【請求項５】  前記複製された信号データは前記セルラー式通信システムの制御情報を含むことを特徴とする請求項１に記載のセルラー式通信システムにおいて標準のモバイル通信の無線送信機の場所を突き止める装置。
【請求項６】  前記制御情報は音声チャネルに関するオーバーヘッド情報を含むことを特徴とする請求項５に記載のセルラー式通信システムにおいて標準のモバイル通信の無線送信機の場所を突き止める装置。
【請求項７】  前記制御情報は制御チャネルデータを含むことを特徴とする請求項５に記載のセルラー式通信システムにおいて標準のモバイル通信の無線送信機の場所を突き止める装置。
【請求項８】  前記モバイル送信機の動作を推定する手段をさらに含むことを特徴とする請求項１に記載のセルラー式通信システムにおいて標準のモバイル通信の無線送信機の場所を突き止める装置。
【請求項９】  前記信号複製データは、前記受信信号の事前にわかっているプロトコルの形、前記受信信号から導出された代表的な信号データ、音声チャネル信号、およびデジタルデータ情報から成るグループから選択されることを特徴とする請求項１に記載のセルラー式通信システムにおいて標準のモバイル通信の無線送信機の場所を突き止める装置。
【請求項１０】  前記複製された信号データは音声関連のデータを含むことを特徴とする請求項１に記載のセルラー式通信システムにおいて標準のモバイル通信の無線送信機の場所を突き止める装置。
【請求項１１】  前記複製された信号データはトラフィックチャネルを介して受信された情報を含むことを特徴とする請求項１に記載のセルラー式通信システムにおいて標準のモバイル通信の無線通信機の場所を突き止める装置。
【請求項１２】  セルラー式通信システムにおいて標準のモバイル通信の無線送信機の場所を突き止める装置であって、
前記モバイル無線送信機から信号を受信するアンテナおよび関連の信号調整手段、および前記受信信号の識別された代表的な瞬間に時間タグを付けて時間タグ付きの受信信号データを生成するタイミング機構をそれぞれ有する少なくとも第１および第２のセンサ局と、
複製された信号データをそれぞれ提供する、それぞれ前記第１および第２のセンサ局にある少なくとも第１および第２の信号複製ユニットと、
前記時間タグ付きの受信信号データおよび前記複製された信号データで一致した複製の相関処理を実行して位置関連の信号パラメータをそれぞれ生成する、それぞれ前記第１および第２のセンサ局にある少なくとも第１および第２の信号相関／測定値抽出処理ユニット（signal correlation and measurement extraction processing unit）と、
前記位置関連の信号パラメータを前記第１および第２のセンサ局から中央サイトに伝える通信システムと、
前記第１および第２のセンサ局のみで生成された前記位置関連の信号パラメータから前記モバイル送信機の位置を推定する手段と、
前記モバイル送信機の前記推定された位置を示す出力とを含み、
前記第１および第２のセンサ局の少なくとも一方のセンサ局にある前記信号複製ユニットは、前記モバイル無線送信機からの前記信号を縮小する縮小機構、および縮小されたデータ表現から前記モバイル無線送信機からの前記信号を再構築する再構築機構を含み、
前記少なくとも一方のセンサ局にある前記信号相関／測定値抽出値処理ユニットは、前記再構築された信号を前記複製された信号データと相関させることを特徴とする装置。
【請求項１３】  セルラー式通信システムにおいて標準のモバイル通信の無線送信機の場所を突き止める方法であって、
少なくとも第１および第２のセンサ局で前記モバイル無線送信機から信号を受信するステップと、
前記受信信号の識別された代表的な瞬間に時間タグを付けて時間タグ付きの受信信号データを生成するステップと、
前記第１および第２のセンサ局で複製された信号データを生成するステップと、
前記時間タグ付きの受信信号データおよび前記複製された信号データで一致した複製の相関処理を実行して位置関連の信号パラメータを生成するステップと、
前記位置関連の信号パラメータを前記第１および第２のセンサ局から中央サイトに伝えるステップと、
前記第１および第２のセンサ局のみで生成され、前記中央サイトで取得された強化された位置関連の信号パラメータから前記モバイル送信機の位置を推定するステップと、
前記モバイル送信機の前記推定された位置を示すステップとを含み、
前記第１および第２のセンサ局で複製された信号データを生成する前記ステップは、
前記時間タグ付きの受信信号データを少なくとも前記第１のセンサ局で縮小するステップと、
少なくとも前記第１のセンサ局と前記第２のセンサ局との間での前記縮小された時間タグ付きの受信信号データの通信を行うステップと、
前記縮小された時間タグ付きの受信信号データを少なくとも前記第２のセンサ局で再構築するステップとをさらに含み、
前記時間タグ付きの受信信号データおよび前記複製された信号データで一致した複製の相関処理を実行して位置関連の信号パラメータを生成する前記ステップは、
前記再構築された時間でタグ付けされた受信されたデータを少なくとも前記第２のセンサ局で前記複製された信号データとして使用するステップをさらに含むことを特徴とする方法。
【請求項１４】  モバイル無線送信機の場所を突き止めるシステムであって、
前記モバイル無線送信機から信号を受信するアンテナ、および前記受信信号の識別された代表的な瞬間に時間タグを付けて時間タグ付きの受信信号データを生成するタイミング機構をそれぞれ有する少なくとも第１および第２のセンサ局と、
複製された信号データをそれぞれ提供する、それぞれ前記第１および第２のセンサ局にある少なくとも第１および第２の信号複製ユニットと、
前記時間タグ付きの受信信号データおよび前記複製された信号データで一致した複製の相関処理を実行して位置関連の信号パラメータをそれぞれ生成する、それぞれ前記第１および第２のセンサ局にある少なくとも第１および第２の信号相関／測定値抽出処理ユニットと、
前記位置関連の信号パラメータを前記センサ局から中央サイトに伝える通信システムと、
前記位置関連の信号パラメータから前記モバイル送信機の位置を推定する手段と、
前記モバイル送信機の前記推定された位置を示す出力とを含み、
少なくとも前記第１のセンサ局にある前記信号複製ユニットは、前記時間タグ付きの受信信号データを縮小する縮小機構を含み、
前記通信システムは、少なくとも前記第１のセンサ局と前記第２のセンサ局との間での前記縮小された時間タグ付きの受信信号データの通信を行い、
少なくとも前記第２のセンサ局にある前記信号複製ユニットは、前記縮小された時間タグ付きの受信信号データを再構築し、前記再構築された時間タグ付きの受信データを前記複製された信号データとして使用する再構築機構を含み、
前記位置関連の信号パラメータは到来角情報を含むことを特徴とするシステム。
【請求項１５】  モバイル無線送信機の場所を突き止めるシステムであって、
前記モバイル無線送信機から信号を受信するアンテナ、および前記受信信号の識別された代表的な瞬間に時間タグを付けて時間タグ付きの受信信号データを生成するタイミング機構をそれぞれ有する少なくとも第１および第２のセンサ局と、
複製された信号データをそれぞれ提供する、それぞれ前記第１および第２のセンサ局にある少なくとも第１および第２の信号複製ユニットと、
前記時間タグ付きの受信信号データおよび前記複製された信号データで一致した複製の相関処理を実行して位置関連の信号パラメータをそれぞれ生成する、それぞれ前記第１および第２のセンサ局にある少なくとも第１および第２の信号相関／測定値抽出処理ユニットと、
前記位置関連の信号パラメータを前記センサ局から中央サイトに伝える通信システムと、
前記位置関連の信号パラメータから前記モバイル送信機の位置を推定する手段と、
前記モバイル送信機の前記推定された位置を示す出力とを含み、
少なくとも前記第１のセンサ局にある前記信号複製ユニットは、前記時間タグ付きの受信信号データを縮小する縮小機構を含み、
前記通信システムは、少なくとも前記第１のセンサ局と前記第２のセンサ局との間での前記縮小された時間タグ付きの受信信号データの通信を行い、
少なくとも前記第２のセンサ局にある前記信号複製ユニットは、前記縮小された時間タグ付きの受信信号データを再構築し、前記再構築された時間タグ付きの受信データを前記複製された信号データとして使用する再構築機構を含み、
前記複製された信号データは音声関連データを含む
ことを特徴とするシステム。
【請求項１６】  前記位置関連の信号パラメータは到着時刻情報を含むことを特徴とする請求項１５に記載のシステム。
【請求項１７】  前記位置関連の信号パラメータは到着時刻差パラメータを含むことを特徴とする請求項１５に記載のシステム。
【請求項１８】  前記位置関連の信号パラメータは到来角情報を含むことを特徴とする請求項１５に記載のシステム。
【請求項１９】  セルラー式通信システムにおいて標準のモバイル通信の無線送信機の場所を突き止める方法であって、
少なくとも第１および第２のセンサ局で前記モバイル無線送信機から信号を受信するステップと、
前記受信信号の識別された代表的な瞬間に時間タグを付けて時間タグ付きの受信信号データを生成するステップと、
前記第１および第２のセンサ局で複製された信号データを生成するステップと、
前記時間タグ付きの受信信号データおよび前記複製された信号データで一致した複製の相関処理を実行して位置関連の信号パラメータを生成するステップと、
前記位置関連の信号パラメータを前記センサ局から中央サイトに伝えるステップと、
前記中央サイトで取得された強化された位置関連の信号パラメータから前記モバイル送信機の位置を推定するステップと、
前記モバイル送信機の前記推定された位置を示すステップとを含み、
前記第１および第２のセンサ局で複製された信号データを生成する前記ステップは、
前記時間タグ付きの受信信号データを少なくとも前記第１のセンサ局で縮小するステップと、
少なくとも前記第１のセンサ局と前記第２のセンサ局との間での前記縮小された時間タグ付きの受信信号データの通信を行うステップと、
前記縮小された時間タグ付きの受信信号データを少なくとも前記第２のセンサ局で再構築するステップとをさらに含み、
前記時間タグ付きの受信信号データおよび前記複製された信号データで一致した複製の相関処理を実行して位置関連の信号パラメータを生成する前記ステップは、
前記再構築された時間タグ付きの受信データを少なくとも前記第２のセンサ局で前記複製された信号データとして使用するステップをさらに含み、
前記位置関連の信号パラメータは到来角情報を含むことを特徴とする方法。
【請求項２０】  セルラー式通信システムにおいて標準のモバイル通信の無線送信機の場所を突き止める方法であって、
少なくとも第１および第２のセンサ局で前記モバイル無線送信機から信号を受信するステップと、
前記受信信号の識別された代表的な瞬間に時間タグを付けて時間タグ付きの受信信号データを生成するステップと、
前記第１および第２のセンサ局で複製された信号データを生成するステップと、
前記時間タグ付きの受信信号データおよび前記複製された信号データで一致した複製の相関処理を実行して位置関連の信号パラメータを生成するステップと、
前記位置関連の信号パラメータを前記センサ局から中央サイトに伝えるステップと、
前記中央サイトで取得された強化された位置関連の信号パラメータから前記モバイル送信機の位置を推定するステップと、
前記モバイル送信機の前記推定された位置を示すステップとを含み、
前記第１および第２のセンサ局で複製された信号データを生成する前記ステップは、
前記時間タグ付きの受信信号データを少なくとも前記第１のセンサ局で縮小するステップと、
少なくとも前記第１のセンサ局と前記第２のセンサ局との間での前記縮小された時間タグ付きの受信信号データの通信を行うステップと、
前記縮小された時間タグ付きの受信信号データを少なくとも前記第２のセンサ局で再構築するステップと、をさらに含み、
前記時間タグ付きの受信信号データおよび前記複製された信号データで一致した複製の相関処理を実行して位置関連の信号パラメータを生成する前記ステップは、
前記再構築された時間タグ付きの受信データを少なくとも前記第２のセンサ局で前記複製された信号データとして使用するステップをさらに含み、
前記複製された信号データは音声関連データを含むことを特徴とする方法。
【請求項２１】  パーソナル通信サービスシステムにおいて無線通信の無線送信機の場所を突き止めるシステムであって、
前記無線通信の無線送信機からＲＦ送信を受信するアンテナ、および前記受信したＲＦ送信の時間タグ付きのサンプルを作成するアナログ−デジタル変換器をそれぞれ有する少なくとも３つのセンサ局と、
前記時間タグ付きのサンプルを受信し、縮小された形の前記ＲＦ送信を生成する、前記センサ局のうちの１つに配置される復調器と、
前記縮小された形の前記ＲＦ送信を変調して信号の複製を生成する、前記センサ局のそれぞれにある変調器と、
前記受信したＲＦ送信を前記信号の複製と相関させて到来角または到着時刻の測定値を決定する、前記センサ局のそれぞれにある相関プロセッサと
を含むことを特徴とするシステム。
【請求項２２】  前記センサ局のうちの前記１つは前記縮小された形の前記ＲＦ送信を前記センサ局のうちの他のものに転送し、前記センサ局のうちの前記他のものは、前記センサ局のうちの前記１つからの前記縮小された形の前記ＲＦ送信を変調して前記信号の複製を生成することを特徴とする請求項２１に記載のシステム。
【請求項２３】  前記ＲＦ送信は前記無線通信の無線送信機によって送信される音声コンテンツを含むことを特徴とする請求項２１に記載のシステム。
【請求項２４】  前記音声コンテンツは前記少なくとも１つのセンサ局によって復調され、前記縮小された形の前記ＲＦ送信は前記ＲＦ送信に含まれるデジタル情報であることを特徴とする請求項２３に記載のシステム。
【請求項２５】  前記デジタル情報は前記センサ局のうちの他のものに送信されることを特徴とする請求項２４に記載のシステム。
【請求項２６】  前記デジタル情報はデジタルサンプリングされたＲＦ送信より少量のデータを含むことを特徴とする請求項２５に記載のシステム。
【請求項２７】  前記音声コンテンツはＣＤＭＡ、ＴＤＭＡ、ＧＳＭ、およびＣＤＰＤシステムのうちの少なくとも１つで通信されることを特徴とする請求項２３に記載のシステム。
【請求項２８】  前記ＲＦ送信はＡＭＰＳネットワーク内の制御チャネル送信を含むことを特徴とする請求項２１に記載のシステム。
【請求項２９】  前記センサ局のそれぞれの前記アンテナは少なくとも２つの要素を含み、前記到来角は、
【数１】
2003529228.tif 000001
に従って決定され、式中ｋは前記信号の波数、ｂは（基線）要素間分離（(baseline) inter-element separation）であり、また「ａｒｇ」関数は相関係数自体の相関の位相を抽出することを特徴とする請求項２３に記載のシステム。
【請求項３０】  前記センサ局の任意の２つの間の前記到着時刻差は、
【数２】
2003529228.tif 000002
に従って決定され、式中ｒ１およびｒ２は前記無線通信の無線送信機の位置からそれぞれ前記任意のセンサ局の一方および他方の位置までの距離であることを特徴とする請求項２３に記載のシステム。
【請求項３１】  中央サイトをさらに含み、前記センサ局のそれぞれからの前記到来角または到着時刻の測定値は、前記無線通信の無線送信局の近似位置を決定するために前記中央サイトに伝えられることを特徴とする請求項２３に記載のシステム。
【請求項３２】  パーソナル通信サービスシステムにおいて無線通信の無線送信機の場所を突き止めるセンサ局であって、
前記無線通信の無線送信機からＲＦ送信を受信するアンテナと、
前記受信したＲＦ送信の時間タグ付きのサンプルを作成するアナログ−デジタル変換器と、
前記時間タグ付きのサンプルを受信し、縮小された形の前記ＲＦ送信を生成する復調器と、
前記縮小された形の前記ＲＦ送信を変調して信号の複製を生成する変調器と、
前記受信したＲＦ送信を前記信号の複製と相関させて到来角または到着時刻の測定値を決定する相関プロセッサと
を含むことを特徴とするセンサ局。
【請求項３３】  前記ＲＦ送信は前記無線通信の無線送信機によって送信される音声コンテンツを含むことを特徴とする請求項３２に記載のセンサ局。
【請求項３４】  前記音声コンテンツは前記センサ局によって復調され、前記縮小された形の前記ＲＦ送信は前記ＲＦ送信に含まれるデジタル情報であることを特徴とする請求項３３に記載のセンサ局。
【請求項３５】  前記縮小された形の前記ＲＦ送信は、前記受信されたＲＦ送信を前記信号の複製と相関させるより前に中央サイトによって前記センサ局に提供されることを特徴とする請求項３２に記載のセンサ局。
【請求項３６】  前記ＲＦ送信の前記復調された形は前記ＲＦ送信に含まれるデジタル情報であることを特徴とする請求項３２に記載のセンサ局。
【請求項３７】  前記到来角または前記到着時刻の測定値は、前記無線通信の無線送信機を処理し、その場所を突き止めるために中央サイトに転送されることを特徴とする請求項３２に記載のセンサ局。
【請求項３８】  セルラー式通信システムにおいて標準のモバイル通信の無線送信機の場所を突き止める方法であって、
第１、第２、および第３のセンサ局で、前記モバイル無線送信機から音声関連のデータを搬送する信号を受信するステップと、
前記第１のセンサ局で、複製された信号データを生成し、縮小された形の前記複製された信号データを生成するステップであって、前記複製された信号データは前記第１のセンサ局で受信した音声関連の信号データを含むステップと、
前記縮小された形の前記複製された信号データを前記第２および第３のセンサ局に伝えるステップと、
前記第２および第３のセンサ局で、前記縮小された形の前記複製された信号データから前記複製された信号データを再構築し、それによって前記第１のセンサ局で受信した音声関連の信号データが前記第２のセンサ局で復元され、前記第２および第３のセンサ局で受信した前記音声関連の信号データ、および前記第１のセンサ局によって伝えられた前記複製された信号データで相関処理を実行して位置関連の信号パラメータを生成するステップと、
前記位置関連の信号パラメータを前記第２および第３のセンサ局から中央サイトに伝えるステップと、
前記位置関連の信号パラメータから前記モバイル送信機の位置を推定するステップと
を含むことを特徴とする方法。
【請求項３９】  前記第１のセンサ局で前記モバイル無線送信機から音声関連のデータを搬送する前記信号を復調して前記縮小された形の前記複製された信号データを生成するステップをさらに含むことを特徴とする請求項３８に記載の方法。
【請求項４０】  音声関連のデータを搬送する前記信号はＣＤＭＡ、ＴＤＭＡ、ＧＳＭ、およびＣＤＰＤシステムのうちの少なくとも１つで通信されることを特徴とする請求項３９に記載の方法。
【請求項４１】  アンテナを有する前記センサ局は少なくとも２つの要素を含み、前記位置関連の信号パラメータのうちの一方は、
【数３】
2003529228.tif 000003
に従って決定される到来角であり、式中ｋは前記信号の波数、ｂは（基線）要素間分離であり、また「ａｒｇ」関数は相関係数自体の相関の位相を抽出することを特徴とする請求項３８に記載の方法。
【請求項４２】  前記位置関連の信号パラメータのうちの一方は、
【数４】
2003529228.tif 000004
に従って決定される前記センサ局間の到着時刻差であり、式中ｒ１およびｒ２は前記無線通信の無線送信機の位置からそれぞれ前記任意のセンサ局の一方および他方の位置までの距離であることを特徴とする請求項３８に記載の方法。
【請求項４３】  無線通信送受信機からの信号の到来角を測定する装置であって、
前記無線通信送受信機から第１および第２のバージョンの信号を受信する第１および第２のアンテナ要素および関連の信号調整手段を含み、前記第１のバージョンは前記第１のアンテナ要素を介して受信され、前記第２のバージョンは前記第２のアンテナ要素を介して受信されるローカルフェーズドアレーアンテナと、
実質的に雑音または歪みによる破損のない前記無線通信送受信機からの前記信号の表現を含む複製された信号データを生成する信号特徴付け処理ユニット（signal characterization processing unit）と、
一致した複製の相関処理を実行して前記無線通信送受信機からの前記信号の到来角（ＡＯＡ）を生成する前記センサ局にある信号相関処理ユニットとを含み、
前記一致した複製の相関処理は、（ａ）前記複製された信号データを前記第１のバージョンと相関させることによって第１の相関関数を生成し、（ｂ）前記複製された信号データを前記第２のバージョンと相関させることによって第２の相関関数を生成し、（ｃ）前記第１の相関関数を前記第２の相関関数と相関させることによって、前記無線通信送受信機からの信号の前記ＡＯＡを示す第３の相関関数を生成することを含むことを特徴とする装置。
【請求項４４】  前記複製された信号データは、前記無線通信送受信機からの前記信号の事前にわかっているプロトコルの形を含むことを特徴とする請求項４３に記載の装置。
【請求項４５】  前記複製された信号データは前記受信信号から導出された代表的な信号データを含むことを特徴とする請求項４３に記載の装置。
【請求項４６】  前記複製された信号データの表現を生成する、前記ローカルフェーズドアレーアンテナから離れたアンテナおよび信号特徴付け処理ユニットをさらに含むことを特徴とする請求項４３に記載の装置。
【請求項４７】  前記信号相関処理ユニットは、前記複製された信号データを長時間の積分時間（integration time）の間前記第１および第２のバージョンと相関させることを特徴とする請求項４３に記載の装置。
【請求項４８】  ＡＯＡ情報を使用して無線９１１呼出を迅速に公共安全応答地点（ＰＳＡＰ）に向ける機構をさらに含むことを特徴とする請求項４３に記載の装置。
【請求項４９】  前記受信信号は符号分割多元アクセス（ＣＤＭＡ）信号であることを特徴とする請求項４３に記載の装置。
【請求項５０】  前記受信信号はＣＤＭＡ音声またはトラフィックチャネル信号であることを特徴とする請求項４９に記載の装置。
【請求項５１】  モバイル無線送信機からの信号の到来角を測定する装置であって、
前記モバイル無線送信機から信号を受信するローカルフェーズドアレーアンテナおよび関連の信号調整手段と、
複製された信号データを生成する信号特徴付け処理ユニットと、
受信信号データおよび複製された信号データで一致した複製の相関処理を実行して前記受信信号の到来角を生成する信号相関処理装置とを含み、
前記相関処理ユニットは、前記受信信号データを相関させて相関関係において使用される要素間位相情報を組み込む係数を生成して
【数５】
2003529228.tif 000005
の関係に従って信号到来角（ＡＯＡ）の測定値を取得し、式中、前記要素間の基線の二等分線の角度に対する前記ＡＯＡ差は、外部の相関係数Ｒ０１＊（ｔｍａｘ（ｓ）｜ｓ，Ｔ）およびＲ０２（ｔｍａｘ（ｓ）｜ｓ，Ｔ）の共役積のある時間間隔Ｓにわたる複素数の平均の「引数」に関係し、ｋは前記信号の近似波数、ｂは要素間分離であり、「ａｒｇ」関数は前記相関係数Ｒ０１およびＲ０２のゼロ遅延相関（ｚｅｒｏ−ｌａｇ  ｃｏｒｒｅｌａｔｉｏｎ）の位相を抽出する
ことを特徴とする装置。
【請求項５２】  無線通信送受信機からの信号の到来角を測定する方法であって、
第１および第２のアンテナ要素を含むローカルフェーズドアレーアンテナで前記無線通信送受信機から第１および第２のバージョンの信号を受信するステップであって、前記第１のバージョンは前記第１のアンテナ要素を介して受信され、前記第２のバージョンは前記第２のアンテナ要素を介して受信されるステップと、
実質的に雑音または歪みによる破損のない前記無線通信送受信機からの前記信号の表現を含む複製された信号データを生成するステップと、
一致した複製の相関処理を実行して前記ローカルフェーズドアレーアンテナで前記無線通信送受信機から前記信号の到来角（ＡＯＡ）を生成するステップとを含み、
前記一致した複製の相関処理は、（ａ）前記複製された信号データを前記第１のバージョンと相関させることによって第１の相関関数を生成し、（ｂ）前記複製された信号データを前記第２のバージョンと相関させることによって第２の相関関数を生成し、（ｃ）前記第１の相関関数を前記第２の相関関数と相関させることによって、前記無線通信送受信機からの前記信号の前記ＡＯＡを示す第３の相関関数を生成するステップを含むことを特徴とする方法。
【請求項５３】  前記複製された信号データは、前記モバイル無線送信機からの前記信号の事前にわかっているプロトコルの形を含むことを特徴とする請求項５２に記載の方法。
【請求項５４】  前記複製された信号データは前記受信信号から導出された代表的な信号データを含むことを特徴とする請求項５２に記載の方法。
【請求項５５】  前記複製された信号データの表現を生成する、前記ローカルフェーズドアレーアンテナから離れたアンテナおよび信号特徴付け処理ユニットをさらに含むことを特徴とする請求項５２に記載の方法。
【請求項５６】  前記相関処理は、前記複製された信号データを長時間の積分時間の間前記第１および第２のバージョンと相関させることを特徴とする請求項５２に記載の方法。
【請求項５７】  前記一致した複製の相関処理ステップは、前記受信信号データを相関させて要素間位相情報を組み込む係数を生成し、前記係数は、信号到達角度（ＡＯＡ）の測定値
【数６】
2003529228.tif 000006
を取得するために使用され、
式中、前記要素間の基線の二等分線の角度に対する前記ＡＯＡ差は、外部の相関係数Ｒ０１（ｔｍａｘ（ｓ）｜ｓ，Ｔ）およびＲ０２（ｔｍａｘ（ｓ）｜ｓ，Ｔ）の共役積の時間間隔Ｓにわたる複素数の平均の「引数」に関係し、ｋは前記信号の近似波数、ｂは要素間分離を表し、「ａｒｇ」関数は前記相関係数Ｒ０１およびＲ０２のゼロ遅延相関の位相を抽出する
ことを特徴とする請求項５２に記載の方法。
【請求項５８】  ＡＯＡ情報を使用して無線９１１呼出を迅速に公共安全応答地点（ＰＳＡＰ）に向けるステップをさらに含むことを特徴とする請求項５２に記載の方法。
【請求項５９】  前記受信信号は符号分割多元アクセス（ＣＤＭＡ）信号であることを特徴とする請求項５２に記載の方法。
【請求項６０】  前記受信信号はＣＤＭＡ音声またはトラフィックチャネル信号であることを特徴とする請求項５９に記載の装置。